(57)【要約】【課題】容器を容易に組み立てられるようにする。【解決手段】第１方向Ｘに延在する底部１３１と、底部１３１における第１方向Ｘに直交する第２方向Ｙの一方側に隣接する第１側部１２１と、底部１３１における第２方向Ｙの他方側に隣接する第２側部１３２と、第１方向Ｘにおいて互いに隙間をあけて設けられ、第２方向Ｙに延在して第１側部１２１と第２側部１３２とを繋ぐ起立壁部１１１と、底部１３１上に位置し、起立壁部１１１と連結された連結片部１２２とを備える。連結片部１２２が底部１３１上にて第１方向Ｘの一方側にスライドした状態において、第１側部１２１、第２側部１３２および起立壁部１１１の各々が引き起こされている。【選択図】図５
2017131263.tif 000002
【特許請求の範囲】
【請求項１】
第１方向に延在する底部と、
前記底部における前記第１方向に直交する第２方向の一方側に隣接する第１側部と、
前記底部における前記第２方向の他方側に隣接する第２側部と、
前記第２方向に延在して前記第１側部と前記第２側部とを繋ぐ起立壁部と、
前記底部上に位置し、前記起立壁部と連結された連結片部とを備え、
前記連結片部が前記底部上にて前記第１方向に沿ってスライドした状態において、前記第１側部、前記第２側部および前記起立壁部の各々が引き起こされている、容器。
【請求項２】
１枚のシートから形成される容器であって、
第１方向に延在する主部と、
前記主部における前記第１方向に直交する第２方向の一方側に隣接し、前記第１方向に延びる第１折り返し線にて山折りで折り返される第１折り返し部と、
前記主部における前記第２方向の他方側に隣接し、前記第１方向に延びる第２折り返し線にて山折りで折り返される第２折り返し部とを備え、
前記主部は、前記第２方向に延在する起立壁部を含み、
前記第１折り返し部は、
前記第１方向に延在し、前記起立壁部の前記第２方向の前記一方側の端部と繋がっている第１側部と、
前記第１側部における前記起立壁部と繋がっている側とは反対側に隣接し、前記第１側部から切り離し可能に設けられ、前記第１折り返し部が前記第１折り返し線にて折り返された状態において前記起立壁部と連結される連結片部とを含み、
前記第２折り返し部は、
前記第１方向に延在し、前記起立壁部の前記第２方向の前記他方側の端部と繋がっている第２側部と、
前記第２側部における前記起立壁部と繋がっている側とは反対側に隣接し、前記第２折り返し部が前記第２折り返し線にて折り返された状態において前記連結片部と重なって位置する底部と、
前記底部における第２側部側とは反対側に隣接し、前記第１折り返し部が前記第１折り返し線にて折り返され、かつ、前記第２折り返し部が前記第２折り返し線にて折り返された状態において、前記第１側部の外側に位置して前記第１側部と貼り合わされる貼り合わせ部とを含み、
前記連結片部が前記底部上にて前記第１方向に沿ってスライドした状態において、前記連結片部は前記第１側部から切り離されており、前記第１側部、前記第２側部および前記起立壁部の各々は引き起こされている、容器。
【請求項３】
１枚のシートから形成される容器であって、
第１方向に延在する主部と、
前記主部における前記第１方向に直交する第２方向の一方側に隣接し、前記第１方向に延びる第１折り返し線にて山折りで折り返される第１折り返し部と、
前記主部における前記第２方向の他方側に隣接し、前記第１方向に延びる第２折り返し線にて山折りで折り返される第２折り返し部とを備え、
前記主部は、前記第２方向に延在する起立壁部を含み、
前記第１折り返し部は、
前記第１方向に延在し、前記起立壁部の前記第２方向の前記一方側の端部と繋がっている第１側部と、
前記第１側部における前記起立壁部と繋がっている側とは反対側に隣接する貼り合わせ部と、
前記貼り合わせ部における第１側部側とは反対側に隣接し、前記貼り合わせ部から切り離し可能に設けられ、前記第１折り返し部が前記第１折り返し線にて折り返された状態において前記起立壁部と連結される連結片部とを含み、
前記第２折り返し部は、
前記第１方向に延在し、前記起立壁部の前記第２方向の前記他方側の端部と繋がっている第２側部と、
前記第２側部における前記起立壁部と繋がっている側とは反対側に隣接し、前記第１折り返し部が前記第１折り返し線にて折り返され、かつ、前記第２折り返し部が前記第２折り返し線にて折り返された状態において、前記連結片部および前記貼り合わせ部と重なって位置して前記貼り合わせ部と貼り合わされる底部とを含み、
前記連結片部が前記底部上にて前記第１方向に沿ってスライドした状態において、前記連結片部は前記貼り合わせ部から切り離されており、前記第１側部、前記第２側部および前記起立壁部の各々は引き起こされている、容器。
【請求項４】
前記起立壁部が、前記第１方向において互いに隙間をあけて複数設けられており、
前記連結片部は、複数の前記起立壁部の各々と連結されており、
前記連結片部が前記底部上にて前記第１方向の一方側にスライドした状態において、複数の前記起立壁部の各々が引き起こされている、請求項１から請求項３のいずれか１項に記載の容器。
【請求項５】
前記起立壁部は、前記第１方向において互いに隙間をあけつつ前記第２方向に延びる仮想中心線に関して互いに線対称に位置する第１起立壁部および第２起立壁部を含み、
前記連結片部は、前記第１起立壁部と連結された第１連結片部、および、該第１連結片部と前記仮想中心線に関して線対称に位置し、前記第２起立壁部と連結された第２連結片部を含み、
前記第１連結片部が前記底部上にて前記第１方向の一方側にスライドした状態において、前記第１起立壁部が引き起こされており、
前記第２連結片部が前記底部上にて前記第１方向の他方側にスライドした状態において、前記第２起立壁部が引き起こされている、請求項１から請求項３のいずれか１項記載の容器。
【請求項６】
前記連結片部が前記底部上にて前記第１方向の一方側にスライドした状態において、前記起立壁部にて、前記第２方向の前記一方側の端部における前記第１方向の最も他方寄りに位置する第１端点と、前記第２方向の前記他方側の端部における前記第１方向の最も他方寄りに位置する第２端点とを、互いに結ぶ仮想直線より、前記第１方向の最も前記一方側にて前記連結片部と連結されている連結端が、前記第１方向の前記一方側に位置している、請求項１から請求項３のいずれか１項に記載の容器。
【請求項７】
前記底部が、前記第１方向の前記一方側に切欠部を有する、請求項６に記載の容器。
【請求項８】
前記連結片部が、前記第１方向の前記一方側に幅広部を有し、
前記連結片部が前記底部上にて前記第１方向の前記一方側にスライドした状態において、前記幅広部と前記切欠部とが係合することにより、前記連結片部が係止されている、請求項７に記載の容器。
【発明の詳細な説明】
【技術分野】
【０００１】
本発明は、容器に関し、特に、組み立て式の容器に関する。
【背景技術】
【０００２】
陳列用台紙の構成を開示した先行文献として、特開２０１３−３４５１２号公報(特許文献１)がある。特許文献１に記載された陳列用台紙は、少なくとも１つの陳列物保持部において、側方支持部または前方支持部の一方に折り目を介して左右方向外側に連なる突出片が設けられるとともに、側方支持部または前方支持部の他方に、前方支持部と側方支持部との間に形成される折り曲げ角度が所定角度であるときにこの角度が維持されるように突出片と係止可能な係止部が設けられている。
【先行技術文献】
【特許文献】
【０００３】
【特許文献１】特開２０１３−３４５１２号公報
【発明の概要】
【発明が解決しようとする課題】
【０００４】
特許文献１に記載された陳列用台紙を組み立てる際は、各陳列物保持部において、左右の切り込みで挟まれた台紙部分を、上側の折り目に沿って谷折り、下側の折り目に沿って山折りでそれぞれ略直角に折り曲げるとともに、左右方向において左右の切り込みよりも外側の台紙部分を、上側の折り目に沿って谷折り、下側の折り目に沿って山折りでそれぞれ略直角に折り曲げており、組み立て作業が煩雑である。
【０００５】
本発明は上記の問題点に鑑みてなされたものであって、容易に組み立て可能な容器を提供することを目的とする。
【課題を解決するための手段】
【０００６】
本発明の第１局面に基づく容器は、第１方向に延在する底部と、底部における上記第１方向に直交する第２方向の一方側に隣接する第１側部と、底部における上記第２方向の他方側に隣接する第２側部と、上記第２方向に延在して第１側部と第２側部とを繋ぐ起立壁部と、底部上に位置し、起立壁部と連結された連結片部とを備える。連結片部が底部上にて上記第１方向に沿ってスライドした状態において、第１側部、第２側部および起立壁部の各々が引き起こされている。
【０００７】
本発明の第２局面に基づく容器は、１枚のシートから形成される容器である。容器は、第１方向に延在する主部と、主部における上記第１方向に直交する第２方向の一方側に隣接し、上記第１方向に延びる第１折り返し線にて山折りで折り返される第１折り返し部と、主部における上記第２方向の他方側に隣接し、上記第１方向に延びる第２折り返し線にて山折りで折り返される第２折り返し部とを備える。主部は、上記第２方向に延在する起立壁部を含む。第１折り返し部は、上記第１方向に延在し、起立壁部の上記第２方向の一方側の端部と繋がっている第１側部と、第１側部における起立壁部と繋がっている側とは反対側に隣接し、第１側部から切り離し可能に設けられ、第１折り返し部が第１折り返し線にて折り返された状態において起立壁部と連結される連結片部とを含む。第２折り返し部は、上記第１方向に延在し、起立壁部の上記第２方向の他方側の端部と繋がっている第２側部と、第２側部における起立壁部と繋がっている側とは反対側に隣接し、第２折り返し部が第２折り返し線にて折り返された状態において連結片部と重なって位置する底部と、底部における第２側部側とは反対側に隣接し、第１折り返し部が第１折り返し線にて折り返され、かつ、第２折り返し部が第２折り返し線にて折り返された状態において、第１側部の外側に位置して第１側部と貼り合わされる貼り合わせ部とを含む。連結片部が底部上にて上記第１方向に沿ってスライドした状態において、連結片部は第１側部から切り離されており、第１側部、第２側部および起立壁部の各々は引き起こされている。
【０００８】
本発明の第３局面に基づく容器は、１枚のシートから形成される容器である。容器は、第１方向に延在する主部と、主部における上記第１方向に直交する第２方向の一方側に隣接し、上記第１方向に延びる第１折り返し線にて山折りで折り返される第１折り返し部と、主部における上記第２方向の他方側に隣接し、上記第１方向に延びる第２折り返し線にて山折りで折り返される第２折り返し部とを備える。主部は、上記第２方向に延在する起立壁部を含む。第１折り返し部は、上記第１方向に延在し、起立壁部の上記第２方向の一方側の端部と繋がっている第１側部と、第１側部における起立壁部と繋がっている側とは反対側に隣接する貼り合わせ部と、貼り合わせ部における第１側部側とは反対側に隣接し、貼り合わせ部から切り離し可能に設けられ、第１折り返し部が第１折り返し線にて折り返された状態において起立壁部と連結される連結片部とを含む。第２折り返し部は、上記第１方向に延在し、起立壁部の上記第２方向の他方側の端部と繋がっている第２側部と、第２側部における起立壁部と繋がっている側とは反対側に隣接し、第１折り返し部が第１折り返し線にて折り返され、かつ、第２折り返し部が第２折り返し線にて折り返された状態において、連結片部および貼り合わせ部と重なって位置して貼り合わせ部と貼り合わされる底部とを含む。連結片部が底部上にて上記第１方向に沿ってスライドした状態において、連結片部は貼り合わせ部から切り離されており、第１側部、第２側部および起立壁部の各々は引き起こされている。
【０００９】
本発明の一形態においては、起立壁部が、上記第１方向において互いに隙間をあけて複数設けられている。連結片部は、複数の起立壁部の各々と連結されている。連結片部が底部上にて上記第１方向の一方側にスライドした状態において、複数の起立壁部の各々が引き起こされている。
【００１０】
本発明の一形態においては、起立壁部は、上記第１方向において互いに隙間をあけつつ上記第２方向に延びる仮想中心線に関して互いに線対称に位置する第１起立壁部および第２起立壁部を含む。連結片部は、第１起立壁部と連結された第１連結片部、および、第１連結片部と上記仮想中心線に関して線対称に位置し、第２起立壁部と連結された第２連結片部を含む。第１連結片部が底部上にて上記第１方向の一方側にスライドした状態において、第１起立壁部が引き起こされている。第２連結片部が底部上にて第１方向の他方側にスライドした状態において、第２起立壁部が引き起こされている。
【００１１】
本発明の一形態においては、連結片部が底部上にて上記第１方向の一方側にスライドした状態において、起立壁部にて、上記第２方向の一方側の端部における上記第１方向の最も他方寄りに位置する第１端点と、上記第２方向の他方側の端部における上記第１方向の最も他方寄りに位置する第２端点とを、互いに結ぶ仮想直線より、上記第１方向の最も一方寄りの位置にて連結片部と連結されている連結端が、上記第１方向の一方側に位置している。
【００１２】
本発明の一形態においては、底部が、上記第１方向の一方側に切欠部を有する。
本発明の一形態においては、連結片部が、上記第１方向の一方側に幅広部を有する。連結片部が底部上にて上記第１方向の一方側にスライドした状態において、幅広部と切欠部とが係合することにより、連結片部が係止されている。
【発明の効果】
【００１３】
本発明によれば、容器を容易に組み立てることができる。
【図面の簡単な説明】
【００１４】
【図１】本発明の実施形態１に係る容器を構成するシートの展開図である。
【図２】本発明の実施形態１に係る容器の外観を示す正面図である。
【図３】本発明の実施形態１に係る容器の外観を示す背面図である。
【図４】本発明の実施形態１に係る容器の外観を示す斜視図である。
【図５】本発明の実施形態１に係る容器において、連結片部を底部上にて第１方向の一方側にスライドさせた状態を示す斜視図である。
【図６】図５に示す容器を矢印ＶＩ方向から見た背面図である。
【図７】本発明の実施形態１に係る容器において、被収容物を収容した状態を示す斜視図である。
【図８】本発明の実施形態２に係る容器を構成するシートの展開図である。
【図９】本発明の実施形態２に係る容器の外観を示す正面図である。
【図１０】本発明の実施形態２に係る容器の外観を示す背面図である。
【図１１】本発明の実施形態２に係る容器の外観を示す斜視図である。
【図１２】本発明の実施形態２に係る容器において、連結片部を底部上にて第１方向の一方側にスライドさせた状態を示す斜視図である。
【図１３】図１２に示す容器を矢印ＸＩＩＩ方向から見た背面図である。
【図１４】本発明の実施形態２に係る容器において、被収容物を収容した状態を示す斜視図である。
【図１５】本発明の実施形態３に係る容器を構成するシートの展開図である。
【図１６】本発明の実施形態３に係る容器の外観を示す正面図である。
【図１７】本発明の実施形態３に係る容器の外観を示す背面図である。
【図１８】本発明の実施形態３に係る容器の外観を示す斜視図である。
【図１９】本発明の実施形態３に係る容器において、第１連結片部を底部上にて第１方向の一方側にスライドさせ、第２連結片部を底部上にて第１方向の他方側にスライドさせた状態を示す斜視図である。
【図２０】図１９に示す容器を矢印ＸＸ方向から見た背面図である。
【図２１】図１９に示す容器を矢印ＸＸＩ方向から見た背面図である。
【図２２】本発明の実施形態３に係る容器において、被収容物を収容した状態を示す斜視図である。
【発明を実施するための形態】
【００１５】
以下、本発明に基づいた各実施形態における容器について図を参照して説明する。以下の実施形態の説明においては、図中の同一または相当部分には同一符号を付して、その説明は繰返さない。以下に説明する実施形態において、個数、量などに言及する場合、特に記載がある場合を除き、本発明の範囲は必ずしもその個数、量などに限定されない。各実施形態における構成を適宜組み合わせて用いることは当初から予定されていることである。図においては、実際の寸法比率では記載しておらず、構造の理解を容易にするために、一部比率を異ならせて記載している箇所を有する。
【００１６】
(実施形態１)
図１は、本発明の実施形態１に係る容器を構成するシートの展開図である。図２は、本発明の実施形態１に係る容器の外観を示す正面図である。図３は、本発明の実施形態１に係る容器の外観を示す背面図である。図４は、本発明の実施形態１に係る容器の外観を示す斜視図である。
【００１７】
図１に示すように、本発明の実施形態１に係る容器は、１枚のシート１００ａから形成されている。ただし、容器の構成は、１枚のシートから形成されている構成に限られず、複数のシートが互いに貼り合わされている構成であってもよい。シート１００ａの材料としては、紙、樹脂、金属、または、これらの複合材料などを用いることができる。
【００１８】
図１〜４に示すように、本発明の実施形態１に係る容器１００を構成するシート１００ａは、第１方向Ｘに延在する主部１１０と、第１折り返し部１２０と、第２折り返し部１３０とを備える。
【００１９】
第１折り返し部１２０は、主部１１０における第１方向Ｘに直交する第２方向Ｙの一方側に隣接している。第１折り返し部１２０は、第１側部１２１と連結片部１２２とを含む。第１折り返し部１２０は、第１方向Ｘに延びる第１折り返し線Ｌ２０にて山折りで折り返される。第１折り返し線Ｌ２０は、主部１１０と第１折り返し部１２０との境界に設けられている。
【００２０】
第２折り返し部１３０は、主部１１０における第２方向Ｙの他方側に隣接している。第２折り返し部１３０は、第２側部１３２と底部１３１と貼り合わせ部１３３とを含む。第２折り返し部１３０は、第１方向Ｘに延びる第２折り返し線Ｌ３０にて山折りで折り返される。第２折り返し線Ｌ３０は、主部１１０と第２折り返し部１３０との境界に設けられている。
【００２１】
以下、主部１１０、第１折り返し部１２０および第２折り返し部１３０の各々の構成について詳細に説明する。
【００２２】
主部１１０は、起立壁部１１１を含む。本実施形態においては、主部１１０は、５つの起立壁部１１１を含んでいるが、起立壁部１１１の数は５つに限られず、１つ以上であればよい。複数の起立壁部１１１は、第１方向Ｘにおいて互いに隙間をあけて設けられている。複数の起立壁部１１１の各々は、第２方向Ｙに延在している。
【００２３】
主部１１０は、互いに隣接する起立壁部１１１同士を繋ぐ連結部１１７をさらに含んでいる。主部１１０において、複数の連結部１１７の各々の、第２方向Ｙの一方側には開口部１１８が設けられており、第２方向Ｙの他方側には開口部１１９が設けられている。開口部１１８は、連結部１１７と第１側部１２１とに挟まれて位置している。開口部１１９は、連結部１１７と第２側部１３２とに挟まれて位置している。
【００２４】
本実施形態においては、複数の起立壁部１１１の各々は、第１方向Ｘの他方側に凸状の逆アーチ形状を有している。ただし、複数の起立壁部１１１の各々の形状は、逆アーチ形状に限られず、第１方向Ｘの一方側に凸状のアーチ形状、または、略楕円形状であってもよい。
【００２５】
複数の起立壁部１１１の各々には、折目線Ｌ１０、折目線Ｌ１１、折目線Ｌ１２、折目線Ｌ１３、折目線Ｌ１４が設けられている。折目線Ｌ１０は、起立壁部１１１と連結部１１７との境界に設けられ、第２方向Ｙに延在している。折目線Ｌ１１、折目線Ｌ１２、折目線Ｌ１３および折目線Ｌ１４の各々は、起立壁部１１１における第１方向Ｘの一方側の端部と第１方向Ｘの他方側の端部とを繋ぐように設けられている。
【００２６】
第２方向Ｙにおける起立壁部１１１の中心を通過し第１方向Ｘに延びる仮想中心線に対して、折目線Ｌ１１と折目線Ｌ１２とは線対称に位置し、折目線Ｌ１３と折目線Ｌ１４とは線対称に位置している。折目線Ｌ１３と折目線Ｌ１４との間に、折目線Ｌ１１および折目線Ｌ１２が位置している。折目線Ｌ１１と折目線Ｌ１３とは、起立壁部１１１における第２方向Ｙの一方側に位置し、折目線Ｌ１２と折目線Ｌ１４とは、起立壁部１１１における第２方向Ｙの他方側に位置している。
【００２７】
折目線Ｌ１３は、起立壁部１１１の第２方向Ｙの一方側の端部１１１ａにおける第１方向Ｘの最も他方寄りに位置する第１端点１１１ｐに達している。折目線Ｌ１４は、起立壁部１１１の第２方向Ｙの他方側の端部１１１ｂにおける第１方向Ｘの最も他方寄りに位置する第２端点１１１ｑに達している。
【００２８】
複数の起立壁部１１１の各々は、折目線Ｌ１０と折目線Ｌ１１と折目線Ｌ１２とに囲まれた主壁部１１２と、折目線Ｌ１１と折目線Ｌ１３とに挟まれた第１接続壁部１１３と、折目線Ｌ１２と折目線Ｌ１４とに挟まれた第２接続壁部１１４と、折目線Ｌ１３と第１折り返し線Ｌ２０とに挟まれた第１側壁部１１５と、折目線Ｌ１４と第２折り返し線Ｌ３０とに挟まれた第２側壁部１１６とから構成されている。
【００２９】
第１折り返し部１２０において、第１側部１２１は、第１方向Ｘに延在している。第１側部１２１は、複数の起立壁部１１１の各々の第２方向Ｙの一方側の端部１１１ａと繋がっている。本実施形態においては、第１側部１２１は、第１方向Ｘの他方側に行くに従って幅が広くなる略台形状の外形を有している。なお、第１側部１２１の外形は、台形状に限られず、矩形状または三角形状などであってもよい。
【００３０】
連結片部１２２は、第１側部１２１における複数の起立壁部１１１の各々と繋がっている側とは反対側に隣接している。本実施形態においては、連結片部１２２は、第１方向Ｘの他方側に行くに従って幅が狭くなる略台形状の外形を有している。なお、連結片部１２２の外形は、台形状に限られず、矩形状または三角形状などであってもよい。連結片部１２２は、第１方向Ｘの一方側に、第２方向Ｙの幅が広くなって外側に突出した幅広部１２３を有している。幅広部１２３は、略半円状の外形を有している。なお、幅広部１２３の形状は、半円状に限られず、矩形状または三角形状などであってもよい。幅広部１２３における第１方向Ｘの一方側の端部には、三角形状の孔が設けられている。
【００３１】
連結片部１２２は、第１側部１２１から切り離し可能に設けられている。具体的には、第１側部１２１と連結片部１２２との境界に、第１側部１２１と連結片部１２２とを分断する切り込み線Ｌ２１が間欠的に設けられており、切り込み線Ｌ２１の間欠部に位置する複数の接続部Ｃ２０によって、第１側部１２１と連結片部１２２とが互いに接続されている。複数の接続部Ｃ２０の各々は、連結片部１２２が第１方向Ｘの一方側に引っ張られた際に容易に切断される程度の大きさで設けられている。
【００３２】
連結片部１２２は、第１折り返し部１２０が第１折り返し線Ｌ２０にて折り返された状態において、複数の起立壁部１１１の各々と連結される。具体的には、連結片部１２２は、複数の連結部１１７の各々と貼り合わされる。その結果、連結片部１２２と複数の起立壁部１１１の各々とが連結される。
【００３３】
第２折り返し部１３０において、第２側部１３２は、第１方向Ｘに延在している。第２側部１３２は、複数の起立壁部１１１の各々の第２方向Ｙの他方側の端部１１１ｂと繋がっている。本実施形態においては、第２側部１３２は、第１方向Ｘの他方側に行くに従って幅が広くなる略台形状の外形を有している。なお、第２側部１３２の外形は、台形状に限られず、矩形状または三角形状などであってもよい。
【００３４】
底部１３１は、第２側部１３２における複数の起立壁部１１１の各々と繋がっている側とは反対側に隣接している。本実施形態においては、底部１３１は、第１方向Ｘの他方側に行くに従って幅が狭くなる略台形状の外形を有している。なお、底部１３１の外形は、台形状に限られず、矩形状または三角形状などであってもよい。底部１３１は、第１方向Ｘの一方側に切欠部１３４を有している。切欠部１３４は、略矩形の３辺に沿う形状で設けられている。底部１３１と第２側部１３２との境界に、折目線Ｌ３１が設けられている。
【００３５】
貼り合わせ部１３３は、底部１３１における第２側部１３２側とは反対側に隣接している。本実施形態においては、貼り合わせ部１３３は、第１方向Ｘの他方側に行くに従って幅が広くなる略台形状の外形を有している。なお、貼り合わせ部１３３の外形は、台形状に限られず、矩形状または三角形状などであってもよい。底部１３１と貼り合わせ部１３３との境界に、折目線Ｌ３２が設けられている。
【００３６】
貼り合わせ部１３３は、第１折り返し部１２０が第１折り返し線Ｌ２０にて折り返され、かつ、第２折り返し部１３０が第２折り返し線Ｌ３０にて折り返された状態において、第１側部１２１の外側に位置して第１側部１２１と貼り合わされる。これにより、シート１００ａが３つ折されて平板状の容器１００が組み立てられる。
【００３７】
図２〜４に示すように、本発明の実施形態１に係る容器１００は、第１方向Ｘに延在する底部１３１と、底部１３１における第２方向Ｙの一方側に隣接する第１側部１２１と、底部１３１における第２方向Ｙの他方側に隣接する第２側部１３２と、第１方向Ｘにおいて互いに隙間をあけて設けられ、第２方向Ｙに延在して第１側部１２１と第２側部１３２とを繋ぐ複数の起立壁部１１１と、底部１３１上に位置し、複数の起立壁部１１１の各々と連結された連結片部１２２とを備える。
【００３８】
図４に示すように、平板状の容器１００において、複数の起立壁部１１１の各々における第１方向Ｘの最も一方寄りの位置にて連結片部１２２と連結されている連結端は、折目線Ｌ１０上に位置しており、第１端点１１１ｐと第２端点１１１ｑとを互いに結ぶ仮想直線Ｖより、第１方向Ｘの他方側に位置している。
【００３９】
以下、本発明の実施形態１に係る容器１００において、連結片部１２２を底部１３１上にて第１方向Ｘの一方側にスライドさせた際の動作について説明する。
【００４０】
図５は、本発明の実施形態１に係る容器において、連結片部を底部上にて第１方向の一方側にスライドさせた状態を示す斜視図である。図６は、図５に示す容器を矢印ＶＩ方向から見た背面図である。
【００４１】
図５，６に示すように、切欠部１３４上に位置している幅広部１２３を把持して連結片部１２２を底部１３１上にて第１方向Ｘの一方側にスライドさせることにより、第１側部１２１、第２側部１３２および起立壁部１１１の各々が引き起こされる。
【００４２】
具体的には、連結片部１２２が第１方向Ｘの一方側に引っ張られることにより、複数の接続部Ｃ２０の各々が切断されて、連結片部１２２が第１側部１２１から切り離される。連結片部１２２が第１方向Ｘの一方側にさらに引っ張られることにより、連結片部１２２が底部１３１上にて第１方向Ｘの一方側にスライドする。
【００４３】
連結片部１２２が底部１３１上にて第１方向Ｘの一方側にスライドすることにより、連結片部１２２に貼り合わされている複数の連結部１１７の各々も第１方向Ｘの一方側にスライドする。
【００４４】
その結果、図５に示すように、主壁部１１２が、矢印２で示すように連結片部１２２上にて起き上がる。それに従って、第１接続壁部１１３が、第１側部１２１上にて起き上がり、第２接続壁部１１４が、第２側部１３２上にて起き上がる。それに従って、第１側壁部１１５が、第１側部１２１を第２方向Ｙの他方側に引っ張りつつ起き上がり、第２側壁部１１６が、第２側部１３２を第２方向Ｙの一方側に引っ張りつつ起き上がる。このように、複数の起立壁部１１１の各々によって内側に引っ張られることにより、第１側部１２１は矢印３で示すように起き上がり、第２側部１３２は矢印４で示すように起き上がる。
【００４５】
連結片部１２２が底部１３１上にて第１方向Ｘの一方側にスライドした状態において、複数の起立壁部１１１の各々にて、折目線Ｌ１０上に位置する上記連結端は、仮想直線Ｖより第１方向Ｘの一方側に位置している。これにより、主壁部１１２が連結片部１２２上にて略垂直に起き上がって支柱として機能し、複数の起立壁部１１１の各々が安定して起き上がった状態となる。その結果、複数の起立壁部１１１の各々は、第１側部１２１および第２側部１３２が元の形状に戻ろうとする復元力によって外側に引っ張られても、起き上がった状態を維持することができる。
【００４６】
本実施形態においては、連結片部１２２が底部１３１上にて第１方向Ｘの一方側にスライドした状態において、図６に示すように、幅広部１２３と切欠部１３４とが係合することにより、連結片部１２２が係止されている。具体的には、幅広部１２３が、第１側部１２１および第２側部１３２の下側に位置するように配置されることにより、幅広部１２３と切欠部１３４とが係合する。これによって、連結片部１２２が底部１３１上にて固定されるため、複数の起立壁部１１１の各々が起き上がった状態を確実に維持することができる。
【００４７】
図７は、本発明の実施形態１に係る容器において、被収容物を収容した状態を示す斜視図である。図７においては、被収容物９０としてドーナツを記載しているが、被収容物９０はドーナツに限られない。また、被収容物９０の収容形態として、複数の起立壁部１１１の各々に被収容物９０を立て掛ける形態に限られず、起立壁部１１１同士に挟まれるように被収容物９０を配置する形態、または、第１方向Ｘが鉛直方向になるように容器１００を立てて配置し、複数の起立壁部１１１の各々に被収容物９０を吊り掛ける形態などであってもよい。
【００４８】
図７に示すように、本発明の実施形態１に係る容器１００においては、平板状の状態で保管されていた容器１００の連結片部１２２を底部１３１上にて第１方向Ｘの一方側にスライドさせるのみで、第１側部１２１、第２側部１３２および起立壁部１１１の各々を容易に引き起こすことができ、被収容物９０を収容する容器として短時間で組み立てることができる。よって、使用される前の保管時における容器１００の保管スペースを低減しつつ、使用時には容器１００を容易に組み立てることができる。また、１枚のシート１００ａを３つ折りにして張り合わせるのみで、容易に平板状の容器１００を組み立てることができる。
【００４９】
(実施形態２)
以下、本発明の実施形態２に係る容器について説明する。なお、本発明の実施形態２に係る容器２００は、貼り合わせ部が底部と貼り合わされる点が主に、本発明の実施形態１に係る容器１００と異なる。
【００５０】
図８は、本発明の実施形態２に係る容器を構成するシートの展開図である。図９は、本発明の実施形態２に係る容器の外観を示す正面図である。図１０は、本発明の実施形態２に係る容器の外観を示す背面図である。図１１は、本発明の実施形態２に係る容器の外観を示す斜視図である。
【００５１】
図８に示すように、本発明の実施形態２に係る容器は、１枚のシート２００ａから形成されている。ただし、容器の構成は、１枚のシートから形成されている構成に限られず、複数のシートが互いに貼り合わされている構成であってもよい。シート２００ａの材料としては、紙、樹脂、金属、または、これらの複合材料などを用いることができる。
【００５２】
図８〜１１に示すように、本発明の実施形態２に係る容器２００を構成するシート２００ａは、第１方向Ｘに延在する主部２１０と、第１折り返し部２２０と、第２折り返し部２３０とを備える。
【００５３】
第１折り返し部２２０は、主部２１０における第１方向Ｘに直交する第２方向Ｙの一方側に隣接している。第１折り返し部２２０は、第１側部２２１と貼り合わせ部２２４と連結片部２２２とを含む。第１折り返し部２２０は、第１方向Ｘに延びる第１折り返し線Ｌ２０にて山折りで折り返される。第１折り返し線Ｌ２０は、主部２１０と第１折り返し部２２０との境界に設けられている。
【００５４】
第２折り返し部２３０は、主部２１０における第２方向Ｙの他方側に隣接している。第２折り返し部２３０は、第２側部２３２と底部２３１とを含む。第２折り返し部２３０は、第１方向Ｘに延びる第２折り返し線Ｌ３０にて山折りで折り返される。第２折り返し線Ｌ３０は、主部２１０と第２折り返し部２３０との境界に設けられている。
【００５５】
以下、主部２１０、第１折り返し部２２０および第２折り返し部２３０の各々の構成について詳細に説明する。
【００５６】
主部２１０は、起立壁部２１１を含む。本実施形態においては、主部２１０は、５つの起立壁部２１１を含んでいるが、起立壁部２１１の数は５つに限られず、１つ以上であればよい。複数の起立壁部２１１は、第１方向Ｘにおいて互いに隙間をあけて設けられている。複数の起立壁部２１１の各々は、第２方向Ｙに延在している。
【００５７】
主部２１０は、互いに隣接する起立壁部２１１同士を繋ぐ連結部２１７をさらに含んでいる。主部２１０において、複数の連結部２１７の各々の、第２方向Ｙの一方側には開口部２１８が設けられており、第２方向Ｙの他方側には開口部２１９が設けられている。開口部２１８は、連結部２１７と第１側部２２１とに挟まれて位置している。開口部２１９は、連結部２１７と第２側部２３２とに挟まれて位置している。
【００５８】
本実施形態においては、複数の起立壁部２１１の各々は、第１方向Ｘの他方側に凸状の逆アーチ形状を有している。ただし、複数の起立壁部２１１の各々の形状は、逆アーチ形状に限られず、第１方向Ｘの一方側に凸状のアーチ形状、または、略楕円形状であってもよい。
【００５９】
複数の起立壁部２１１の各々には、折目線Ｌ１０、折目線Ｌ１１、折目線Ｌ１２、折目線Ｌ１３、折目線Ｌ１４が設けられている。折目線Ｌ１０は、起立壁部２１１と連結部２１７との境界に設けられ、第２方向Ｙに延在している。折目線Ｌ１１、折目線Ｌ１２、折目線Ｌ１３および折目線Ｌ１４の各々は、起立壁部２１１における第１方向Ｘの一方側の端部と第１方向Ｘの他方側の端部とを繋ぐように設けられている。
【００６０】
第２方向Ｙにおける起立壁部２１１の中心を通過し第１方向Ｘに延びる仮想中心線に対して、折目線Ｌ１１と折目線Ｌ１２とは線対称に位置し、折目線Ｌ１３と折目線Ｌ１４とは線対称に位置している。折目線Ｌ１３と折目線Ｌ１４との間に、折目線Ｌ１１および折目線Ｌ１２が位置している。折目線Ｌ１１と折目線Ｌ１３とは、起立壁部１１１における第２方向Ｙの一方側に位置し、折目線Ｌ１２と折目線Ｌ１４とは、起立壁部１１１における第２方向Ｙの他方側に位置している。
【００６１】
折目線Ｌ１３は、起立壁部２１１の第２方向Ｙの一方側の端部２１１ａにおける第１方向Ｘの最も他方寄りに位置する第１端点２１１ｐに達している。折目線Ｌ１４は、起立壁部２１１の第２方向Ｙの他方側の端部２１１ｂにおける第１方向Ｘの最も他方寄りに位置する第２端点２１１ｑに達している。
【００６２】
折目線Ｌ１１の第１方向Ｘの一方側の端部と、折目線Ｌ１３の第１方向Ｘの一方側の端部とは、互いに重なっている。折目線Ｌ１２の第１方向Ｘの一方側の端部と、折目線Ｌ１４の第１方向Ｘの一方側の端部とは、互いに重なっている。
【００６３】
複数の起立壁部２１１の各々は、折目線Ｌ１０と折目線Ｌ１１と折目線Ｌ１２とに囲まれた主壁部２１２と、折目線Ｌ１１と折目線Ｌ１３とに挟まれた第１接続壁部２１３と、折目線Ｌ１２と折目線Ｌ１４とに挟まれた第２接続壁部２１４と、折目線Ｌ１３と第１折り返し線Ｌ２０とに挟まれた第１側壁部２１５と、折目線Ｌ１４と第２折り返し線Ｌ３０とに挟まれた第２側壁部２１６とから構成されている。
【００６４】
第１折り返し部２２０において、第１側部２２１は、第１方向Ｘに延在している。第１側部２２１は、複数の起立壁部２１１の各々の第２方向Ｙの一方側の端部２１１ａと繋がっている。本実施形態においては、第１側部２２１は、矩形状の外形を有している。なお、第１側部２２１の外形は、矩形状に限られず、台形状または三角形状などであってもよい。
【００６５】
貼り合わせ部２２４は、第１側部２２１における複数の起立壁部２１１の各々と繋がっている側とは反対側に隣接している。本実施形態においては、貼り合わせ部２２４は、第１方向Ｘの他方側に行くに従って幅が広くなる略台形状の外形を有している。なお、貼り合わせ部２２４の外形は、台形状に限られず、矩形状または三角形状などであってもよい。第１側部２２１と貼り合わせ部２２４との境界に、折目線Ｌ２２が設けられている。
【００６６】
連結片部２２２は、貼り合わせ部２２４における第１側部２２１側とは反対側に隣接している。本実施形態においては、連結片部２２２は、第１方向Ｘの他方側に行くに従って幅が狭くなる略台形状の外形を有している。なお、連結片部２２２の外形は、台形状に限られず、矩形状または三角形状などであってもよい。連結片部２２２は、第１方向Ｘの一方側に、第２方向Ｙの幅が広くなって外側に突出した幅広部２２３を有している。幅広部２２３は、略半円状の外形を有している。なお、幅広部２２３の形状は、半円状に限られず、矩形状または三角形状などであってもよい。幅広部２２３における第１方向Ｘの一方側の端部には、三角形状の孔が設けられている。幅広部２２３の第１方向Ｘの他方側の端部の境界に、折目線Ｌ２３が設けられている。
【００６７】
連結片部２２２は、貼り合わせ部２２４から切り離し可能に設けられている。具体的には、貼り合わせ部２２４と連結片部２２２との境界に、貼り合わせ部２２４と連結片部２２２とを分断する切り込み線Ｌ２１が間欠的に設けられており、切り込み線Ｌ２１の間欠部に位置する複数の接続部Ｃ２０によって、貼り合わせ部２２４と連結片部２２２とが互いに接続されている。複数の接続部Ｃ２０の各々は、連結片部２２２が第１方向Ｘの一方側に引っ張られた際に容易に切断される程度の大きさで設けられている。
【００６８】
連結片部２２２は、第１折り返し部２２０が第１折り返し線Ｌ２０にて折り返された状態において、複数の起立壁部２１１の各々と連結される。具体的には、連結片部２２２は、複数の連結部２１７の各々と貼り合わされる。その結果、連結片部２２２と複数の起立壁部２１１の各々とが連結される。
【００６９】
第２折り返し部２３０において、第２側部２３２は、第１方向Ｘに延在している。第２側部２３２は、複数の起立壁部２１１の各々の第２方向Ｙの他方側の端部２１１ｂと繋がっている。本実施形態においては、第２側部２３２は、矩形状の外形を有している。なお、第２側部２３２の外形は、矩形状に限られず、台形状または三角形状などであってもよい。
【００７０】
底部２３１は、第２側部２３２における複数の起立壁部２１１の各々と繋がっている側とは反対側に隣接している。本実施形態においては、底部２３１は、略矩形状の外形を有している。なお、底部２３１の外形は、矩形状に限られず、台形状であってもよい。底部２３１は、第１方向Ｘの一方側に切欠部２３４を有している。切欠部２３４は、略矩形の３辺に沿う形状で設けられている。底部２３１と第２側部２３２との境界に、折目線Ｌ３１が設けられている。
【００７１】
底部２３１は、第１折り返し部２２０が第１折り返し線Ｌ２０にて折り返され、かつ、第２折り返し部２３０が第２折り返し線Ｌ３０にて折り返された状態において、連結片部２２２および貼り合わせ部２２４と重なって位置して貼り合わせ部２２４と貼り合わされる。これにより、シート２００ａが３つ折されて平板状の容器２００が組み立てられる。
【００７２】
図９〜１１に示すように、本発明の実施形態２に係る容器２００は、第１方向Ｘに延在する底部２３１と、底部２３１における第２方向Ｙの一方側に隣接する第１側部２２１と、底部２３１における第２方向Ｙの他方側に隣接する第２側部２３２と、第１方向Ｘにおいて互いに隙間をあけて設けられ、第２方向Ｙに延在して第１側部２２１と第２側部２３２とを繋ぐ複数の起立壁部２１１と、底部２３１上に位置し、複数の起立壁部２１１の各々と連結された連結片部２２２とを備える。
【００７３】
図１１に示すように、平板状の容器２００において、複数の起立壁部２１１の各々における第１方向Ｘの最も一方寄りの位置にて連結片部２２２と連結されている連結端は、折目線Ｌ１０上に位置しており、第１端点２１１ｐと第２端点２１１ｑとを互いに結ぶ仮想直線Ｖより、第１方向Ｘの他方側に位置している。
【００７４】
以下、本発明の実施形態２に係る容器２００において、連結片部２２２を底部２３１上にて第１方向Ｘの一方側にスライドさせた際の動作について説明する。
【００７５】
図１２は、本発明の実施形態２に係る容器において、連結片部を底部上にて第１方向の一方側にスライドさせた状態を示す斜視図である。図１３は、図１２に示す容器を矢印ＸＩＩＩ方向から見た背面図である。
【００７６】
図１２，１３に示すように、切欠部２３４上に位置している幅広部２２３を把持して連結片部２２２を底部２３１上にて第１方向Ｘの一方側にスライドさせることにより、第１側部２２１、第２側部２３２および起立壁部２１１の各々が引き起こされる。
【００７７】
具体的には、連結片部２２２が第１方向Ｘの一方側に引っ張られることにより、複数の接続部Ｃ２０の各々が切断されて、連結片部２２２が貼り合わせ部２２４から切り離される。連結片部２２２が第１方向Ｘの一方側にさらに引っ張られることにより、連結片部２２２が底部２３１上にて第１方向Ｘの一方側にスライドする。
【００７８】
連結片部２２２が底部２３１上にて第１方向Ｘの一方側にスライドすることにより、連結片部２２２に貼り合わされている複数の連結部２１７の各々も第１方向Ｘの一方側にスライドする。
【００７９】
その結果、図１２に示すように、主壁部２１２が、矢印２で示すように連結片部２２２上にて起き上がる。それに従って、第１接続壁部２１３が、第１側部２２１上にて起き上がり、第２接続壁部２１４が、第２側部２３２上にて起き上がる。それに従って、第１側壁部２１５が、第１側部２２１を第２方向Ｙの他方側に引っ張りつつ起き上がり、第２側壁部２１６が、第２側部２３２を第２方向Ｙの一方側に引っ張りつつ起き上がる。このように、複数の起立壁部２１１の各々によって内側に引っ張られることにより、第１側部２２１は矢印３で示すように起き上がり、第２側部２３２は矢印４で示すように起き上がる。
【００８０】
連結片部２２２が底部２３１上にて第１方向Ｘの一方側にスライドした状態において、複数の起立壁部２１１の各々にて、折目線Ｌ１０上に位置する上記連結端は、仮想直線Ｖより第１方向Ｘの一方側に位置している。これにより、主壁部２１２が連結片部２２２上にて略垂直に起き上がって支柱として機能し、複数の起立壁部２１１の各々が安定して起き上がった状態となる。その結果、複数の起立壁部２１１の各々は、第１側部２２１および第２側部２３２が元の形状に戻ろうとする復元力によって外側に引っ張られても、起き上がった状態を維持することができる。
【００８１】
本実施形態においては、連結片部２２２が底部２３１上にて第１方向Ｘの一方側にスライドした状態において、図１３に示すように、幅広部２２３と切欠部２３４とが係合することにより、連結片部２２２が係止されている。これによって、連結片部２２２が底部２３１上にて固定されるため、複数の起立壁部２１１の各々が起き上がった状態を確実に維持することができる。
【００８２】
図１４は、本発明の実施形態２に係る容器において、被収容物を収容した状態を示す斜視図である。図１４においては、被収容物９０としてドーナツを記載しているが、被収容物９０はドーナツに限られない。また、被収容物９０の収容形態として、複数の起立壁部２１１の各々に被収容物９０を立て掛ける形態に限られず、起立壁部２１１同士に挟まれるように被収容物９０を配置する形態、または、第１方向Ｘが鉛直方向になるように容器２００を立てて配置し、複数の起立壁部２１１の各々に被収容物９０を吊り掛ける形態などであってもよい。
【００８３】
図１４に示すように、本発明の実施形態２に係る容器２００においては、平板状の状態で保管されていた容器２００の連結片部２２２を底部２３１上にて第１方向Ｘの一方側にスライドさせるのみで、第１側部２２１、第２側部２３２および起立壁部２１１の各々を容易に引き起こすことができ、被収容物９０を収容する容器として短時間で組み立てることができる。よって、使用される前の保管時における容器２００の保管スペースを低減しつつ、使用時には容器２００を容易に組み立てることができる。また、１枚のシート２００ａを３つ折りにして張り合わせるのみで、容易に平板状の容器２００を組み立てることができる。
【００８４】
(実施形態３)
以下、本発明の実施形態３に係る容器について説明する。なお、本発明の実施形態３に係る容器３００は、連結片部が１つの起立壁部と連結されている点が主に、本発明の実施形態２に係る容器２００と異なる。
【００８５】
図１５は、本発明の実施形態３に係る容器を構成するシートの展開図である。図１６は、本発明の実施形態３に係る容器の外観を示す正面図である。図１７は、本発明の実施形態３に係る容器の外観を示す背面図である。図１８は、本発明の実施形態３に係る容器の外観を示す斜視図である。
【００８６】
図１５に示すように、本発明の実施形態３に係る容器は、１枚のシート３００ａから形成されている。ただし、容器の構成は、１枚のシートから形成されている構成に限られず、複数のシートが互いに貼り合わされている構成であってもよい。シート３００ａの材料としては、紙、樹脂、金属、または、これらの複合材料などを用いることができる。
【００８７】
図１５〜１８に示すように、本発明の実施形態３に係る容器３００を構成するシート３００ａは、第１方向Ｘに延在する主部３１０と、第１折り返し部３２０と、第２折り返し部３３０とを備える。
【００８８】
第１折り返し部３２０は、主部３１０における第１方向Ｘに直交する第２方向Ｙの一方側に隣接している。第１折り返し部３２０は、第１側部３２１と貼り合わせ部３２４と第１連結片部３２２と第２連結片部３２２ｓとを含む。第１折り返し部３２０は、第１方向Ｘに延びる第１折り返し線Ｌ２０にて山折りで折り返される。第１折り返し線Ｌ２０は、主部３１０と第１折り返し部３２０との境界に設けられている。
【００８９】
第２折り返し部３３０は、主部３１０における第２方向Ｙの他方側に隣接している。第２折り返し部３３０は、第２側部３３２と底部３３１とを含む。第２折り返し部３３０は、第１方向Ｘに延びる第２折り返し線Ｌ３０にて山折りで折り返される。第２折り返し線Ｌ３０は、主部３１０と第２折り返し部３３０との境界に設けられている。
【００９０】
以下、主部３１０、第１折り返し部３２０および第２折り返し部３３０の各々の構成について詳細に説明する。
【００９１】
本実施形態においては、主部３１０は、第１方向Ｘにおいて互いに隙間をあけつつ第２方向Ｙに延びる仮想中心線Ｃに関して互いに線対称に位置する第１起立壁部３１１および第２起立壁部３１１ｓを含む。なお、主部３１０は、第１起立壁部３１１および第２起立壁部３１１ｓの一方のみを含んでいてもよい。すなわち、主部３１０が、１つの起立壁部のみを含んでいてもよい。第１起立壁部３１１および第２起立壁部３１１ｓの各々は、第２方向Ｙに延在している。
【００９２】
主部３１０は、第１起立壁部３１１の第１方向Ｘの他方側から突出した第１連結部３１７と、第２起立壁部３１１ｓの第１方向Ｘの一方側から突出した第２連結部３１７ｓとをさらに含んでいる。第１連結部３１７と第２連結部３１７ｓとは、仮想中心線Ｃに関して互いに線対称に位置している。主部３１０において、第１起立壁部３１１と第２起立壁部３１１ｓとの間に、開口部３１９が設けられている。開口部３１９は、第１起立壁部３１１と第２起立壁部３１１ｓと第１連結部３１７と第２連結部３１７ｓと第１側部３２１と第２側部３３２とに囲まれている。
【００９３】
本実施形態においては、第１起立壁部３１１は、第１方向Ｘの他方側に凸状の逆アーチ形状を有している。ただし、第１起立壁部３１１の形状は、逆アーチ形状に限られず、第１方向Ｘの一方側に凸状のアーチ形状、または、略楕円形状であってもよい。第２起立壁部３１１ｓは、第１方向Ｘの一方側に凸状のアーチ形状を有している。ただし、第１起立壁部３１１の形状は、アーチ形状に限られず、逆アーチ形状または略楕円形状であってもよい。
【００９４】
第１起立壁部３１１には、折目線Ｌ１０、折目線Ｌ１１、折目線Ｌ１２、折目線Ｌ１３、折目線Ｌ１４が設けられている。折目線Ｌ１０は、第１起立壁部３１１と第１連結部３１７との境界に設けられ、第２方向Ｙに延在している。折目線Ｌ１１、折目線Ｌ１２、折目線Ｌ１３および折目線Ｌ１４の各々は、第１起立壁部３１１における第１方向Ｘの一方側の端部と第１方向Ｘの他方側の端部とを繋ぐように設けられている。
【００９５】
第２方向Ｙにおける第１起立壁部３１１の中心を通過し第１方向Ｘに延びる仮想中心線に対して、折目線Ｌ１１と折目線Ｌ１２とは線対称に位置し、折目線Ｌ１３と折目線Ｌ１４とは線対称に位置している。折目線Ｌ１３と折目線Ｌ１４との間に、折目線Ｌ１１および折目線Ｌ１２が位置している。折目線Ｌ１１と折目線Ｌ１３とは、第１起立壁部３１１における第２方向Ｙの一方側に位置し、折目線Ｌ１２と折目線Ｌ１４とは、第１起立壁部３１１における第２方向Ｙの他方側に位置している。
【００９６】
折目線Ｌ１３は、第１起立壁部３１１の第２方向Ｙの一方側の端部３１１ａにおける第１方向Ｘの最も他方寄りに位置する第１端点３１１ｐに達している。折目線Ｌ１４は、第１起立壁部３１１の第２方向Ｙの他方側の端部３１１ｂにおける第１方向Ｘの最も他方寄りに位置する第２端点３１１ｑに達している。
【００９７】
折目線Ｌ１１の第１方向Ｘの一方側の端部と、折目線Ｌ１３の第１方向Ｘの一方側の端部とは、互いに重なっている。折目線Ｌ１２の第１方向Ｘの一方側の端部と、折目線Ｌ１４の第１方向Ｘの一方側の端部とは、互いに重なっている。
【００９８】
第１起立壁部３１１は、折目線Ｌ１０と折目線Ｌ１１と折目線Ｌ１２とに囲まれた主壁部３１２と、折目線Ｌ１１と折目線Ｌ１３とに挟まれた第１接続壁部３１３と、折目線Ｌ１２と折目線Ｌ１４とに挟まれた第２接続壁部３１４と、折目線Ｌ１３と第１折り返し線Ｌ２０とに挟まれた第１側壁部３１５と、折目線Ｌ１４と第２折り返し線Ｌ３０とに挟まれた第２側壁部３１６とから構成されている。
【００９９】
第２起立壁部３１１ｓには、折目線Ｌ１０ｓ、折目線Ｌ１１ｓ、折目線Ｌ１２ｓ、折目線Ｌ１３ｓ、折目線Ｌ１４ｓが設けられている。折目線Ｌ１０ｓは、第２起立壁部３１１ｓと第２連結部３１７ｓとの境界に設けられ、第２方向Ｙに延在している。折目線Ｌ１１ｓ、折目線Ｌ１２ｓ、折目線Ｌ１３ｓおよび折目線Ｌ１４ｓの各々は、第２起立壁部３１１ｓにおける第１方向Ｘの一方側の端部と第１方向Ｘの他方側の端部とを繋ぐように設けられている。
【０１００】
第２方向Ｙにおける第２起立壁部３１１ｓの中心を通過し第１方向Ｘに延びる仮想中心線に対して、折目線Ｌ１１ｓと折目線Ｌ１２ｓとは線対称に位置し、折目線Ｌ１３ｓと折目線Ｌ１４ｓとは線対称に位置している。折目線Ｌ１３ｓと折目線Ｌ１４ｓとの間に、折目線Ｌ１１ｓおよび折目線Ｌ１２ｓが位置している。折目線Ｌ１１ｓと折目線Ｌ１３ｓとは、第２起立壁部３１１ｓにおける第２方向Ｙの一方側に位置し、折目線Ｌ１２ｓと折目線Ｌ１４ｓとは、第２起立壁部３１１ｓにおける第２方向Ｙの他方側に位置している。
【０１０１】
折目線Ｌ１３ｓは、第２起立壁部３１１ｓの第２方向Ｙの一方側の端部３１１ａｓにおける第１方向Ｘの最も一方寄りに位置する第１端点３１１ｐｓに達している。折目線Ｌ１４ｓは、第２起立壁部３１１ｓの第２方向Ｙの他方側の端部３１１ｂｓにおける第１方向Ｘの最も一方寄りに位置する第２端点３１１ｑｓに達している。
【０１０２】
折目線Ｌ１１ｓの第１方向Ｘの他方側の端部と、折目線Ｌ１３ｓの第１方向Ｘの他方側の端部とは、互いに重なっている。折目線Ｌ１２ｓの第１方向Ｘの他方側の端部と、折目線Ｌ１４ｓの第１方向Ｘの他方側の端部とは、互いに重なっている。
【０１０３】
第２起立壁部３１１ｓは、折目線Ｌ１０ｓと折目線Ｌ１１ｓと折目線Ｌ１２ｓとに囲まれた主壁部３１２ｓと、折目線Ｌ１１ｓと折目線Ｌ１３ｓとに挟まれた第１接続壁部３１３ｓと、折目線Ｌ１２ｓと折目線Ｌ１４ｓとに挟まれた第２接続壁部３１４ｓと、折目線Ｌ１３ｓと第１折り返し線Ｌ２０とに挟まれた第１側壁部３１５ｓと、折目線Ｌ１４ｓと第２折り返し線Ｌ３０とに挟まれた第２側壁部３１６ｓとから構成されている。
【０１０４】
第１折り返し部３２０において、第１側部３２１は、第１方向Ｘに延在している。第１側部３２１は、第１起立壁部３１１の第２方向Ｙの一方側の端部３１１ａ、および、第２起立壁部３１１ｓの第２方向Ｙの一方側の端部３１１ａｓの各々と繋がっている。本実施形態においては、第１側部３２１は、矩形状の外形を有している。なお、第１側部３２１の外形は、矩形状に限られず、台形状または三角形状などであってもよい。
【０１０５】
貼り合わせ部３２４は、第１側部３２１における第１起立壁部３１１および第２起立壁部３１１ｓの各々と繋がっている側とは反対側に隣接している。本実施形態においては、貼り合わせ部３２４は、第１方向Ｘの中央部に近づくに従って幅が広くなる略五角形状の外形を有している。なお、貼り合わせ部３２４の外形は、五角形状に限られず、矩形状または三角形状などであってもよい。第１側部３２１と貼り合わせ部３２４との境界に、折目線Ｌ２２が設けられている。
【０１０６】
第１連結片部３２２は、貼り合わせ部３２４における第１側部３２１側とは反対側に隣接している。本実施形態においては、第１連結片部３２２は、第１方向Ｘの他方側に行くに従って幅が狭くなる略台形状の外形を有している。なお、第１連結片部３２２の外形は、台形状に限られず、矩形状または三角形状などであってもよい。第１連結片部３２２は、第１方向Ｘの一方側に、第２方向Ｙの幅が広くなって外側に突出した第１幅広部３２３を有している。第１幅広部３２３は、略半円状の外形を有している。なお、第１幅広部３２３の形状は、半円状に限られず、矩形状または三角形状などであってもよい。第１幅広部３２３における第１方向Ｘの一方側の端部には、三角形状の孔が設けられている。第１幅広部３２３の第１方向Ｘの他方側の端部の境界に、折目線Ｌ２３が設けられている。
【０１０７】
第１連結片部３２２は、貼り合わせ部３２４から切り離し可能に設けられている。具体的には、貼り合わせ部３２４と第１連結片部３２２との境界に、貼り合わせ部３２４と第１連結片部３２２とを分断する切り込み線Ｌ２１が間欠的に設けられており、切り込み線Ｌ２１の間欠部に位置する複数の接続部Ｃ２０によって、貼り合わせ部３２４と第１連結片部３２２とが互いに接続されている。複数の接続部Ｃ２０の各々は、第１連結片部３２２が第１方向Ｘの一方側に引っ張られた際に容易に切断される程度の大きさで設けられている。
【０１０８】
第１連結片部３２２は、第１折り返し部３２０が第１折り返し線Ｌ２０にて折り返された状態において、第１起立壁部３１１と連結される。具体的には、第１連結片部３２２は、第１連結部３１７と貼り合わされる。その結果、第１連結片部３２２と第１起立壁部３１１とが連結される。
【０１０９】
第２連結片部３２２ｓは、第１連結片部３２２と仮想中心線Ｃに関して線対称に位置している。第２連結片部３２２ｓは、貼り合わせ部３２４における第１側部３２１側とは反対側に隣接している。本実施形態においては、第２連結片部３２２ｓは、第１方向Ｘの他方側に行くに従って幅が広くなる略台形状の外形を有している。なお、第２連結片部３２２ｓの外形は、台形状に限られず、矩形状または三角形状などであってもよい。第２連結片部３２２ｓは、第１方向Ｘの他方側に、第２方向Ｙの幅が広くなって外側に突出した第２幅広部３２３ｓを有している。第２幅広部３２３ｓは、略半円状の外形を有している。なお、第２幅広部３２３ｓの形状は、半円状に限られず、矩形状または三角形状などであってもよい。第２幅広部３２３ｓにおける第１方向Ｘの他方側の端部には、三角形状の孔が設けられている。第２幅広部３２３ｓの第１方向Ｘの一方側の端部の境界に、折目線Ｌ２３ｓが設けられている。
【０１１０】
第２連結片部３２２ｓは、貼り合わせ部３２４から切り離し可能に設けられている。具体的には、貼り合わせ部３２４と第２連結片部３２２ｓとの境界に、貼り合わせ部３２４と第２連結片部３２２ｓとを分断する切り込み線Ｌ２１ｓが間欠的に設けられており、切り込み線Ｌ２１ｓの間欠部に位置する複数の接続部Ｃ２０ｓによって、貼り合わせ部３２４と第２連結片部３２２ｓとが互いに接続されている。複数の接続部Ｃ２０ｓの各々は、第２連結片部３２２ｓが第１方向Ｘの他方側に引っ張られた際に容易に切断される程度の大きさで設けられている。
【０１１１】
第１連結片部３２２と第２連結片部３２２ｓとは、互いに切り離し可能に設けられている。具体的には、第１連結片部３２２と第２連結片部３２２ｓとの境界に、第１連結片部３２２と第２連結片部３２２ｓとを分断する切り込み線Ｌ２４が間欠的に設けられており、切り込み線Ｌ２４の間欠部に位置する接続部Ｃ２１によって、第１連結片部３２２と第２連結片部３２２ｓとが互いに接続されている。接続部Ｃ２１は、第１連結片部３２２が第１方向Ｘの一方側に引っ張られた際に、または、第２連結片部３２２ｓが第１方向Ｘの他方側に引っ張られた際に、容易に切断される程度の大きさで設けられている。
【０１１２】
第２連結片部３２２ｓは、第１折り返し部３２０が第１折り返し線Ｌ２０にて折り返された状態において、第２起立壁部３１１ｓと連結される。具体的には、第２連結片部３２２ｓは、第２連結部３１７ｓと貼り合わされる。その結果、第２連結片部３２２ｓと第２起立壁部３１１ｓとが連結される。
【０１１３】
第２折り返し部３３０において、第２側部３３２は、第１方向Ｘに延在している。第２側部３３２は、第１起立壁部３１１の第２方向Ｙの他方側の端部３１１ｂ、および、第２起立壁部３１１ｓの第２方向Ｙの他方側の端部３１１ｂｓの各々と繋がっている。本実施形態においては、第２側部３３２は、矩形状の外形を有している。なお、第２側部３３２の外形は、矩形状に限られず、台形状または三角形状などであってもよい。
【０１１４】
底部３３１は、第２側部３３２における第１起立壁部３１１および第２起立壁部３１１ｓの各々と繋がっている側とは反対側に隣接している。本実施形態においては、底部３３１は、略矩形状の外形を有している。なお、底部３３１の外形は、矩形状に限られず、台形状であってもよい。底部３３１は、第１方向Ｘの一方側に第１切欠部３３４を有し、第１方向Ｘの他方側に第２切欠部３３４ｓを有している。第１切欠部３３４および第２切欠部３３４ｓの各々は、略矩形の３辺に沿う形状で設けられている。底部３３１と第２側部３３２との境界に、折目線Ｌ３１が設けられている。
【０１１５】
底部３３１は、第１折り返し部３２０が第１折り返し線Ｌ２０にて折り返され、かつ、第２折り返し部３３０が第２折り返し線Ｌ３０にて折り返された状態において、第１連結片部３２２、第２連結片部３２２ｓおよび貼り合わせ部３２４と重なって位置して貼り合わせ部３２４と貼り合わされる。これにより、シート３００ａが３つ折されて平板状の容器３００が組み立てられる。
【０１１６】
図１６〜１８に示すように、本発明の実施形態３に係る容器３００は、第１方向Ｘに延在する底部３３１と、底部３３１における第２方向Ｙの一方側に隣接する第１側部３２１と、底部３３１における第２方向Ｙの他方側に隣接する第２側部３３２と、第１方向Ｘにおいて互いに隙間をあけて設けられ、第２方向Ｙに延在して第１側部３２１と第２側部３３２とを繋ぐ、第１起立壁部３１１および第２起立壁部３１１ｓと、底部３３１上に位置し、第１起立壁部３１１と連結された第１連結片部３２２および第２起立壁部３１１ｓと連結された第２連結片部３２２ｓとを備える。
【０１１７】
図１８に示すように、平板状の容器３００において、第１起立壁部３１１における第１方向Ｘの最も一方寄りの位置にて第１連結片部３２２と連結されている連結端は、折目線Ｌ１０上に位置しており、第１端点３１１ｐと第２端点３１１ｑとを互いに結ぶ仮想直線Ｖより、第１方向Ｘの他方側に位置している。
【０１１８】
平板状の容器３００において、第２起立壁部３１１ｓにおける第１方向Ｘの最も他方寄りの位置にて第２連結片部３２２ｓと連結されている連結端は、折目線Ｌ１０ｓ上に位置しており、第１端点３１１ｐｓと第２端点３１１ｑｓとを互いに結ぶ仮想直線Ｖｓより、第１方向Ｘの一方側に位置している。
【０１１９】
以下、本発明の実施形態３に係る容器３００において、第１連結片部３２２を底部３３１上にて第１方向Ｘの一方側にスライドさせ、第２連結片部３２２ｓを底部３３１上にて第１方向Ｘの他方側にスライドさせた際の動作について説明する。
【０１２０】
図１９は、本発明の実施形態３に係る容器において、第１連結片部を底部上にて第１方向の一方側にスライドさせ、第２連結片部を底部上にて第１方向の他方側にスライドさせた状態を示す斜視図である。図２０は、図１９に示す容器を矢印ＸＸ方向から見た背面図である。図２１は、図１９に示す容器を矢印ＸＸＩ方向から見た背面図である。
【０１２１】
図１９〜２１に示すように、第１切欠部３３４上に位置している第１幅広部３２３を把持して第１連結片部３２２を底部３３１上にて第１方向Ｘの一方側にスライドさせることにより、第１側部３２１、第２側部３３２および第１起立壁部３１１の各々が引き起こされる。
【０１２２】
具体的には、第１連結片部３２２が第１方向Ｘの一方側に引っ張られることにより、複数の接続部Ｃ２０の各々が切断されて、第１連結片部３２２が貼り合わせ部３２４から切り離される。また、接続部Ｃ２１が切断されて、第１連結片部３２２が第２連結片部３２２ｓから切り離される。第１連結片部３２２が第１方向Ｘの一方側にさらに引っ張られることにより、第１連結片部３２２が底部３３１上にて第１方向Ｘの一方側にスライドする。
【０１２３】
第１連結片部３２２が底部３３１上にて第１方向Ｘの一方側にスライドすることにより、第１連結片部３２２に貼り合わされている第１連結部３１７も第１方向Ｘの一方側にスライドする。
【０１２４】
その結果、図１９に示すように、主壁部３１２が、矢印２で示すように第１連結片部３２２上にて起き上がる。それに従って、第１接続壁部３１３が、第１側部３２１上にて起き上がり、第２接続壁部３１４が、第２側部３３２上にて起き上がる。それに従って、第１側壁部３１５が、第１側部３２１を第２方向Ｙの他方側に引っ張りつつ起き上がり、第２側壁部３１６が、第２側部３３２を第２方向Ｙの一方側に引っ張りつつ起き上がる。このように、第１起立壁部３１１によって内側に引っ張られることにより、第１側部３２１は矢印３で示すように起き上がり、第２側部３３２は矢印４で示すように起き上がる。
【０１２５】
第１連結片部３２２が底部３３１上にて第１方向Ｘの一方側にスライドした状態において、第１起立壁部３１１にて、折目線Ｌ１０上に位置する上記連結端は、仮想直線Ｖより第１方向Ｘの一方側に位置している。これにより、主壁部３１２が第１連結片部３２２上にて略垂直に起き上がって支柱として機能し、第１起立壁部３１１が安定して起き上がった状態となる。その結果、第１起立壁部３１１は、第１側部３２１および第２側部３３２が元の形状に戻ろうとする復元力によって外側に引っ張られても、起き上がった状態を維持することができる。
【０１２６】
本実施形態においては、第１連結片部３２２が底部３３１上にて第１方向Ｘの一方側にスライドした状態において、図２０に示すように、第１幅広部３２３と第１切欠部３３４とが係合することにより、第１連結片部３２２が係止されている。これによって、第１連結片部３２２が底部３３１上にて固定されるため、第１起立壁部３１１が起き上がった状態を確実に維持することができる。
【０１２７】
第２切欠部３３４ｓ上に位置している第２幅広部３２３ｓを把持して第２連結片部３２２ｓを底部３３１上にて第１方向Ｘの他方側にスライドさせることにより、第１側部３２１、第２側部３３２および第２起立壁部３１１ｓの各々が引き起こされる。
【０１２８】
具体的には、第２連結片部３２２ｓが第１方向Ｘの他方側に引っ張られることにより、複数の接続部Ｃ２０ｓの各々が切断されて、第２連結片部３２２ｓが貼り合わせ部３２４から切り離される。また、接続部Ｃ２１が切断されて、第２連結片部３２２ｓが第１連結片部３２２から切り離される。第２連結片部３２２ｓが第１方向Ｘの他方側にさらに引っ張られることにより、第２連結片部３２２ｓが底部３３１上にて第１方向Ｘの他方側にスライドする。
【０１２９】
第２連結片部３２２ｓが底部３３１上にて第１方向Ｘの他方側にスライドすることにより、第２連結片部３２２ｓに貼り合わされている第２連結部３１７ｓも第１方向Ｘの他方側にスライドする。
【０１３０】
その結果、図１９に示すように、主壁部３１２ｓが、矢印２ｓで示すように第２連結片部３２２ｓ上にて起き上がる。それに従って、第１接続壁部３１３ｓが、第１側部３２１上にて起き上がり、第２接続壁部３１４ｓが、第２側部３３２上にて起き上がる。それに従って、第１側壁部３１５ｓが、第１側部３２１を第２方向Ｙの他方側に引っ張りつつ起き上がり、第２側壁部３１６ｓが、第２側部３３２を第２方向Ｙの一方側に引っ張りつつ起き上がる。このように、第２起立壁部３１１ｓによって内側に引っ張られることにより、第１側部３２１は矢印３ｓで示すように起き上がり、第２側部３３２は矢印４ｓで示すように起き上がる。
【０１３１】
第２連結片部３２２ｓが底部３３１上にて第１方向Ｘの他方側にスライドした状態において、第２起立壁部３１１ｓにて、折目線Ｌ１０ｓ上に位置する上記連結端は、仮想直線Ｖｓより第１方向Ｘの他方側に位置している。これにより、主壁部３１２ｓが第２連結片部３２２ｓ上にて略垂直に起き上がって支柱として機能し、第２起立壁部３１１ｓが安定して起き上がった状態となる。その結果、第２起立壁部３１１ｓは、第１側部３２１および第２側部３３２が元の形状に戻ろうとする復元力によって外側に引っ張られても、起き上がった状態を維持することができる。
【０１３２】
本実施形態においては、第２連結片部３２２ｓが底部３３１上にて第１方向Ｘの他方側にスライドした状態において、図２１に示すように、第２幅広部３２３ｓと第２切欠部３３４ｓとが係合することにより、第２連結片部３２２ｓが係止されている。これによって、第２連結片部３２２ｓが底部３３１上にて固定されるため、第２起立壁部３１１ｓが起き上がった状態を確実に維持することができる。
【０１３３】
図２２は、本発明の実施形態３に係る容器において、被収容物を収容した状態を示す斜視図である。図２２においては、被収容物９０としてドーナツを記載しているが、被収容物９０はドーナツに限られない。また、被収容物９０の収容形態として、第１起立壁部３１１と第２起立壁部３１１ｓとの間に被収容物９０を配置する形態に限られず、第１方向Ｘが鉛直方向になるように容器３００を立てて配置し、第１起立壁部３１１および第２起立壁部３１１ｓの各々に被収容物９０を吊り掛ける形態などであってもよい。
【０１３４】
図２２に示すように、本発明の実施形態３に係る容器３００においては、平板状の状態で保管されていた容器３００の第１連結片部３２２を底部３３１上にて第１方向Ｘの一方側にスライドさせ、第２連結片部３２２ｓを底部３３１上にて第１方向Ｘの他方側にスライドさせるのみで、第１側部３２１、第２側部３３２、第１起立壁部３１１および第２起立壁部３１１ｓの各々を容易に引き起こすことができ、被収容物９０を収容する容器として短時間で組み立てることができる。よって、使用される前の保管時における容器３００の保管スペースを低減しつつ、使用時には容器３００を容易に組み立てることができる。また、１枚のシート３００ａを３つ折りにして張り合わせるのみで、容易に平板状の容器３００を組み立てることができる。
【０１３５】
なお、本発明の実施形態３に係る容器３００においては、仮想中心線Ｃに関して線対称の構成を有していたが、容器３００の構成は上記に限られず、仮想中心線Ｃに関して第１方向Ｘの一方側のみから構成されていてもよい。すなわち、容器３００が、第１起立壁部３１１および第１連結片部３２２を含み、第２起立壁部３１１ｓおよび第２連結片部３２２ｓを含まなくてもよい。この場合においても、第１連結片部３２２を底部３３１上にて第１方向Ｘの一方側にスライドさせることにより、第１側部３２１、第２側部３３２および第１起立壁部３１１の各々を引き起こすことができる。また、被収容物９０を、第１起立壁部３１１と第１側部３２１と第２側部３３２とに囲まれた空間に、配置することができる。
【０１３６】
上述した実施形態の説明において、組み合わせ可能な構成を相互に組み合わせてもよい。
【０１３７】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【０１３８】
９０  被収容物、１００，２００，３００  容器、１００ａ，２００ａ，３００ａ  シート、１１０，２１０，３１０  主部、１１１，２１１  起立壁部、１１１ａ，１１１ｂ，２１１ａ，２１１ｂ，３１１ａ，３１１ａｓ，３１１ｂ，３１１ｂｓ  端部、１１１ｐ，２１１ｐ，３１１ｐ，３１１ｐｓ  第１端点、１１１ｑ，２１１ｑ，３１１ｑ，３１１ｑｓ  第２端点、１１２，２１２，３１２，３１２ｓ  主壁部、１１３，２１３，３１３，３１３ｓ  第１接続壁部、１１４，２１４，３１４，３１４ｓ  第２接続壁部、１１５，２１５，３１５，３１５ｓ  第１側壁部、１１６，２１６，３１６，３１６ｓ  第２側壁部、１１７，２１７  連結部、１１８，１１９，２１８，２１９，３１９  開口部、１２０，２２０，３２０  第１折り返し部、１２１，２２１，３２１  第１側部、１２２，２２２  連結片部、１２３，２２３  幅広部、１３０，２３０，３３０  第２折り返し部、１３１，２３１，３３１  底部、１３２，２３２，３３２  第２側部、１３３，２２４  部、１３４，２３４  切欠部、３１１  第１起立壁部、３１１ｓ  第２起立壁部、３１７  第１連結部、３１７ｓ  第２連結部、３２２  第１連結片部、３２２ｓ  第２連結片部、３２３  第１幅広部、３２３ｓ  第２幅広部、３３４  第１切欠部、３３４ｓ  第２切欠部、Ｃ２０，Ｃ２０ｓ，Ｃ２１  接続部、Ｌ１０，Ｌ１１，Ｌ１２，Ｌ１３，Ｌ１４，Ｌ２２，Ｌ２３，Ｌ３１，Ｌ３２，Ｌ１０ｓ，Ｌ１１ｓ，Ｌ１２ｓ，Ｌ１３ｓ，Ｌ１４ｓ  折目線、Ｌ２０  第１折り返し線、Ｌ２１，Ｌ２１ｓ，Ｌ２４  切り込み線、Ｌ３０  第２折り返し線、Ｖ，Ｖｓ  仮想直線、Ｘ  第１方向、Ｙ  第２方向。
【図１】
2017131263.tif 000003
【図２】
2017131263.tif 000004
【図３】
2017131263.tif 000005
【図４】
2017131263.tif 000006
【図５】
2017131263.tif 000007
【図６】
2017131263.tif 000008
【図７】
2017131263.tif 000009
【図８】
2017131263.tif 000010
【図９】
2017131263.tif 000011
【図１０】
2017131263.tif 000012
【図１１】
2017131263.tif 000013
【図１２】
2017131263.tif 000014
【図１３】
2017131263.tif 000015
【図１４】
2017131263.tif 000016
【図１５】
2017131263.tif 000017
【図１６】
2017131263.tif 000018
【図１７】
2017131263.tif 000019
【図１８】
2017131263.tif 000020
【図１９】
2017131263.tif 000021
【図２０】
2017131263.tif 000022
【図２１】
2017131263.tif 000023
【図２２】
2017131263.tif 000024
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
１枚のシートから形成される容器であって、
第１方向に延在する主部と、
前記主部における前記第１方向に直交する第２方向の一方側に隣接し、前記第１方向に延びる第１折り返し線にて山折りで折り返される第１折り返し部と、
前記主部における前記第２方向の他方側に隣接し、前記第１方向に延びる第２折り返し線にて山折りで折り返される第２折り返し部とを備え、
前記主部は、前記第２方向に延在する起立壁部を含み、
前記第１折り返し部は、
前記第１方向に延在し、前記起立壁部の前記第２方向の前記一方側の端部と繋がっている第１側部と、
前記第１側部における前記起立壁部と繋がっている側とは反対側に隣接し、前記第１側部から切り離し可能に設けられ、前記第１折り返し部が前記第１折り返し線にて折り返された状態において前記起立壁部と連結される連結片部とを含み、
前記第２折り返し部は、
前記第１方向に延在し、前記起立壁部の前記第２方向の前記他方側の端部と繋がっている第２側部と、
前記第２側部における前記起立壁部と繋がっている側とは反対側に隣接し、前記第２折り返し部が前記第２折り返し線にて折り返された状態において前記連結片部と重なって位置する底部と、
前記底部における第２側部側とは反対側に隣接し、前記第１折り返し部が前記第１折り返し線にて折り返され、かつ、前記第２折り返し部が前記第２折り返し線にて折り返された状態において、前記第１側部の外側に位置して前記第１側部と貼り合わされる貼り合わせ部とを含み、
前記連結片部が前記底部上にて前記第１方向に沿ってスライドした状態において、前記連結片部は前記第１側部から切り離されており、前記第１側部、前記第２側部および前記起立壁部の各々は引き起こされている、容器。
【請求項２】
１枚のシートから形成される容器であって、
第１方向に延在する主部と、
前記主部における前記第１方向に直交する第２方向の一方側に隣接し、前記第１方向に延びる第１折り返し線にて山折りで折り返される第１折り返し部と、
前記主部における前記第２方向の他方側に隣接し、前記第１方向に延びる第２折り返し線にて山折りで折り返される第２折り返し部とを備え、
前記主部は、前記第２方向に延在する起立壁部を含み、
前記第１折り返し部は、
前記第１方向に延在し、前記起立壁部の前記第２方向の前記一方側の端部と繋がっている第１側部と、
前記第１側部における前記起立壁部と繋がっている側とは反対側に隣接する貼り合わせ部と、
前記貼り合わせ部における第１側部側とは反対側に隣接し、前記貼り合わせ部から切り
離し可能に設けられ、前記第１折り返し部が前記第１折り返し線にて折り返された状態において前記起立壁部と連結される連結片部とを含み、
前記第２折り返し部は、
前記第１方向に延在し、前記起立壁部の前記第２方向の前記他方側の端部と繋がっている第２側部と、
前記第２側部における前記起立壁部と繋がっている側とは反対側に隣接し、前記第１折り返し部が前記第１折り返し線にて折り返され、かつ、前記第２折り返し部が前記第２折り返し線にて折り返された状態において、前記連結片部および前記貼り合わせ部と重なって位置して前記貼り合わせ部と貼り合わされる底部とを含み、
前記連結片部が前記底部上にて前記第１方向に沿ってスライドした状態において、前記連結片部は前記貼り合わせ部から切り離されており、前記第１側部、前記第２側部および前記起立壁部の各々は引き起こされている、容器。
【請求項３】
前記起立壁部が、前記第１方向において互いに隙間をあけて複数設けられており、
前記連結片部は、複数の前記起立壁部の各々と連結されており、
前記連結片部が前記底部上にて前記第１方向の一方側にスライドした状態において、複数の前記起立壁部の各々が引き起こされている、請求項１または請求項２に記載の容器。
【請求項４】
前記起立壁部は、前記第１方向において互いに隙間をあけつつ前記第２方向に延びる仮想中心線に関して互いに線対称に位置する第１起立壁部および第２起立壁部を含み、
前記連結片部は、前記第１起立壁部と連結された第１連結片部、および、該第１連結片部と前記仮想中心線に関して線対称に位置し、前記第２起立壁部と連結された第２連結片部を含み、
前記第１連結片部が前記底部上にて前記第１方向の一方側にスライドした状態において、前記第１起立壁部が引き起こされており、
前記第２連結片部が前記底部上にて前記第１方向の他方側にスライドした状態において、前記第２起立壁部が引き起こされている、請求項１または請求項２に記載の容器。
【請求項５】
前記連結片部が前記底部上にて前記第１方向の一方側にスライドした状態において、前記起立壁部にて、前記第２方向の前記一方側の端部における前記第１方向の最も他方寄りに位置する第１端点と、前記第２方向の前記他方側の端部における前記第１方向の最も他方寄りに位置する第２端点とを、互いに結ぶ仮想直線より、前記第１方向の最も前記一方側にて前記連結片部と連結されている連結端が、前記第１方向の前記一方側に位置している、請求項１または請求項２に記載の容器。
【請求項６】
前記底部が、前記第１方向の前記一方側に切欠部を有する、請求項５に記載の容器。
【請求項７】
前記連結片部が、前記第１方向の前記一方側に幅広部を有し、
前記連結片部が前記底部上にて前記第１方向の前記一方側にスライドした状態において、前記幅広部と前記切欠部とが係合することにより、前記連結片部が係止されている、請求項６に記載の容器。